(57)【要約】【目的】壁面への取付け作業と配管接続作業を容易にするエアコンの室内機の設置構造に関する。【構成】室内機Ａの本体ベース１の裏側に上部の係止部１ａより下方に伸びる本体レール３を設け、壁面Ｂに固定する据付板２の上部の係合部２ａから下方に伸びるガイドレール４を設ける。本体ベース１の本体レール３を据付板２のガイドレール４に嵌合し、室内機Ａをガイドレール４に沿って上動すると、本体レール３の上部の係止部１ａがガイドレール４の上部の係合部２ａに係合して壁面Ｂに固定できる。また、ガイドレール４と据付板２との連続部には可動手段５を設け、可動手段５によってガイドレール４の向きを斜め下方に保持することで本体ベース１と据付板２との間に作業間隔を確保でき、配管接続作業が行いやすくなる。【選択図】          図１
2005024124.tif 000002
【特許請求の範囲】
【請求項１】
エアコンの室内機Ａの本体ベース１の裏側には上部の係止部１ａを形成し、
かつ、壁面Ｂに固定したエアコンの据付板２には上部の係合部２ａを設け、エアコンの室内機Ａの上部の係止部１ａが据付板２の上部の係合部２ａに係合することでエアコンの室内機Ａを壁面Ｂに固定するエアコンの設置構造において、
前記上部の係止部１ａと上部の係合部２ａとは複数箇所形成し、
かつ、本体ベース１には係止部１ａより下方に伸びる本体レール３を設け、前記据付板２の上部の係合部２ａから据付板２の上方より下方に伸びると共に、本体ベース１の本体レール３と嵌合するガイドレール４を設け、エアコンの室内機Ａは本体ベース１の本体レール３と据付板２のガイドレール４とが嵌合しながら上動して本体レール３の上部の係止部１ａとガイドレール４の上部の係合部２ａとが係合することを特徴とするエアコン室内機の設置構造。
【請求項２】
本体ベース１の裏側の下方には下部の係止部１ｂを形成し、かつ、据付板２の下方には下部の係合部２ｂを形成し、上方に配置した前記上部の係止部１ａと上部の係合部２ａの係合時に下部の係止部１ｂと下部の係合部２ｂを係合させる請求項１記載のエアコンの室内機の設置構造。
【請求項３】
前記ガイドレール４は据付板２の上部の係合部２ａで据付板２と連続する縦長部材で形成し、
かつ、ガイドレール４と据付板２との連続部にはガイドレール４の向きを下方と斜め下方の二つの位置に選択する可動手段５を設け、本体ベース１の本体レール３は斜め下方に向いたガイドレール４と嵌合しながら上動して、上部の係止部１ａと上部の係合部２ａが係合時に本体ベース１と据付板２との間に作業間隔が構成できる請求項１記載のエアコンの室内機の設置構造。
【請求項４】
前記ガイドレール４の向きを下方と斜め下方の二つの位置に選択する可動手段５は開度調節可能な丁番５ａで構成したことを特徴とする請求項３記載のエアコンの室内機の設置構造。
【請求項５】
ガイドレール４と据付板２との連続部を塑性変形可能な部材で構成し、斜め下方に伸びるガイドレール４の連続部は加圧変形してガイドレール４の向きを下方に変更することで可動手段５を構成した請求項３記載のエアコンの室内機の設置構造。
【発明の詳細な説明】
【０００１】
【産業上の利用分野】
この発明はエアコン室内機の設置構造に関するものである。
【０００２】
【従来の技術】
エアコンの据付板を壁面にネジで固定し、壁面にエアコンの配管を通す穴を開け、エアコンの室内機を持ち上げてエアコンの室内機の本体ベースの裏側の係止部がエアコンの据付板の係合部と係合するように位置へ探しながらエアコンの室内機を取付けしている。
【０００３】
また、エアコンの配管を接続する為にエアコンの室内機の本体ベースの裏側の係止部と係合部を係合させながら係止部を支点としてエアコンの室内機を手前に引き上げて、この状態を保持しながら配管接続作業を行っている。
【０００４】
そして、配管を接続した後、本体ベースの裏側の係止部と据付板と係合しているエアコンの室内機を少し上に持ち上げ、本体ベースの裏側下部の係止部をエアコンの据付板下部の係合部の位置へ挿入する。このように据付板にエアコン室内機が取付いた時には上部の係止部と係合部間に室内機の下部を引き上げる余裕があるからエアコン本体は下部を支点に前方に傾斜する。
【０００５】
【発明が解決しようとする課題】
このような従来構造では室内機を取付ける為に持ち上げた状態では本体ベースの係止部や据付板の係合部は室内機の裏側に位置して死角となっており、室内機を上下、左右に動かしながら係合位置を探さなければならないから非常に取付けしにくいものであった。また、エアコンの配管を接続する為にエアコンの室内機の本体ベースの裏側の係止部と係合部を係合させてから係止部を支点としてエアコンの室内機の下部を手前に引き上げて、この状態を保持しながら配管接続作業を行なわなければならないから作業がやりにくいものであった。
【０００６】
また、エアコン本体ベースを持ち上げた状態を保持する為に梱包用ダンボールを加工してスペーサを作り、このスペーサを本体ベースと据付板の間に嵌合して隙間を作ることも行われているが梱包材料を廃却した再設置の時にはスペーサなしで作業しなければならない。
【０００７】
また、エアコン本体が前方に傾斜することにより、ドレンパンも傾斜しドレン水の排水の妨げにもなっていて、エアコン本体ベースの外周に隙間ができてエアコン本体ベースの裏側に空気が挿入したり、ドレンパンにドレン水が溜まったりするため、エアコン本体ベースの裏側とドレンパンの外周の冷却された部分に結露が発生し、滴下する恐れがある。
【０００８】
【課題を解決するための手段】
この発明は上記課題を解決するもので、エアコンの室内機Ａの本体ベース１の裏側には上部の係止部１ａを形成し、かつ、壁面Ｂに固定したエアコンの据付板２には上部の係合部２ａを設け、エアコンの室内機Ａの上部の係止部１ａが据付板２の上部の係合部２ａに係合することでエアコンの室内機Ａを壁面Ｂに固定するエアコンの設置構造において、前記上部の係止部１ａと上部の係合部２ａとは複数箇所形成し、かつ、本体ベース１には係止部１ａより下方に伸びる本体レール３を設け、前記据付板２の上部の係合部２ａから据付板２の上方より下方に伸びると共に、本体ベース１の本体レール３と嵌合するガイドレール４を設け、エアコンの室内機Ａは本体ベース１の本体レール３と据付板２のガイドレール４とが嵌合しながら上動でき、本体ベース１の本体レール３の上部の係止部１ａとガイドレール４の上部の係合部２ａとを係合させている。
【０００９】
また、本体ベース１の裏側の下方には下部の係止部１ｂを形成し、かつ、据付板２の下方には下部の係合部２ｂを形成し、上方に配置した前記上部の係止部１ａと上部の係合部２ａの係合時に下部の係止部１ｂと下部の係止部２ｂを係合させる。
【００１０】
また、本体ベース１の本体レール３のガイドレール４と据付板２との連続部にはガイドレール４の向きを下方と斜め下方の二つの位置に選択する可動手段５を設け、本体ベース１の本体レール３は斜め下方に向いたガイドレール４と嵌合しながら上動して上部の係止部１ａと上部の係合部２ａが係合時に本体ベース１と据付板２との間に作業間隔を構成したから配管接続作業をすみやかに行うことができる。
【００１１】
また、本体ベース１の本体レール３のガイドレール４の向きを下方と斜め下方の二つの位置に選択する可動手段５は開度調節可能な丁番５ａで構成したから作業に適した任意の角度に保持できる。
【００１２】
また、ガイドレール４と据付板２との連続部を塑性変形可能な部材で構成し、斜め下方に伸びるガイドレール４の連続部は加圧変形してガイドレール４の向きを下方に変更することで可動手段５を構成したから、開き角度が一定であるものの作業後、エアコン本体を押すことで所定の位置にエアコンが設置できる。
【００１３】
【作用】
この発明は据付板２を壁に固定した後、エアコンの室内機Ａの本体ベース１の裏側の本体レール３を据付板２のガイドレール４の下方に嵌合させた状態で下側から本体レール３を滑らし上昇させると、本体ベース１裏側の上部の係止部１ａと据付板の上部の係合部２ａとが係合でき、エアコン室内機Ａを壁面Ｂに取付けできる。
【００１４】
【実施例】
図に示すセパレート形のエアコンの実施例によってこの発明を説明すると、Ｃはエアコンの室外機、１１は冷媒ガスを圧縮して高温高圧の冷媒にする圧縮機、１２は圧縮後の冷媒ガスと室外空気とを熱交換するコンデンサ、１３はコンデンサ１２を通過する空気流を作り出す室外送風機、１４は液状の冷媒を通過させる細管で構成したキャピラリであり、圧縮機１１で加圧された冷媒はコンデンサ１２に送られ、コンデンサ１２を通過する空気によって冷却され液化し、コンデンサ１２を通過する室外空気は高温となって吹出す。
【００１５】
Ａはエアコンの室内機、７は室内機Ａの正面に設けた空気取入口、８は空気取入口７の下方に設けた空気吹出口、９は空気取入口７と対向する室内機Ａ内に設けたエバポレータ、１０はエバポレータ９を通過する空気流を作り出す室内送風機である。
【００１６】
６は室外機Ｃ内の圧縮機１１とコンデンサ１２とキャピラリ１４と、室内機Ａ内のエバポレータ９とを接続する冷媒配管であり、液状の冷媒がキャピラリ１４を通ってエバポレータ９に送られると、エバポレータ９内で冷媒が気化してエバポレータ９を急速に冷却するので、室内送風機１０によってエバポレータ９を通過する室内空気が冷却されて冷風となって空気吹出口８から室内に吹出す。この時、空気中に含まれる水蒸気は冷却されてエバポレータ９の表面で液化する。
【００１７】
１４はエバポレータ９で液化して滴下するドレン水を受け止める為にエバポレータ９の下方に設けたドレンパン、１５はドレンパン１４に設けた接続口に取付けたドレンホースであり、室内機Ａはドレンホース１５を接続した側が少し低くなるように傾斜して壁面Ｂに設置しており、ドレンパン１４のドレン水がスムーズにドレンホース１５に流れるようになっている。
【００１８】
１は室内機Ａの裏側に設けた本体ベース、２は室内機Ａを壁面Ｂに設置する為の据付板であり、該据付板２は壁面Ｂにねじ等で固定しており、室内機Ａは本体ベース１を据付板２に取付けることで壁面Ｂに設置している。１６は室内機Ａに取付けたドレンホース１５付近の壁面Ｂに設けた連通口であり、ドレンパン１４に接続したドレンホース１５は連通口１６から下り勾配で外に引き出しており、ドレンパン１４に溜まったドレン水を屋外に排出している。
【００１９】
室内機Ａの設置構造の従来例を示す図６において、１ａは本体ベース１の裏側の上部に形成した係止部、１ｂは本体ベース１の裏側の下部に形成した係止部、２ａは据付板２の上部に形成した係合部、２ｂは据付板２の下部に形成した係合部であり、室内機Ａを取付ける時は、据付板２を壁面Ｂに固定し、ドレンホース１５を取付ける側の壁面Ｂに前記連通口１６をあけ、この連通口１６に冷媒配管６やドレンホース１５や電源・信号コードを通しておく。
【００２０】
そして、本体ベース１に設けた上部の係止部１ａを壁面Ｂに固定した据付板２の上部の係合部２ａに係合し、連通口１６に通した冷媒配管６やドレンホース１５や電源・信号コードを室内機Ａに接続する。その後、係止部１ａと係合部２ａを係合させたまま室内機Ａを上方に持ち上げ、本体ベース１の裏側の下部に形成した係止部１ｂを据付板２の下部の係合部２ｂに係合させて室内機Ａの取付けを完了する。
【００２１】
ところで、室内機Ａは一般的に天井付近の高い位置に設置するので、室内機Ａを据付板２に取付ける時は室内機Ａを高く持ち上げる必要があるが、従来の構造では室内機Ａを持ち上げた時に本体ベース１の係止部１ａや据付板２の係合部２ａが室内機Ａによって隠れて作業者からは死角となるものであった。この為、作業者は室内機Ａを持ち上げたまま係止部１ａと係合部２ａとの係合位置を探さなければならないので、取付けしにくく、また、係止部１ａと係合部２ａが確実に係合されたか分かりづらいという欠点があった。
【００２２】
この発明は上記の課題を解決するもので、３は本体ベース１の裏側に形成した上部の係止部１ａから連続して下方に伸びる本体レールであり、該本体レール３は中央に溝を形成した縦長の凹部で構成し、更に、本体レール３の上端は本体ベース１の上端まで伸ばして本体ベース１の上部で開口させている。
【００２３】
４は据付板２の上部の係合部２ａから連続して下方へ向けて形成したガイドレールであり、該ガイドレール４は中央の上部から下方に向けて連続する突起を形成した縦長部材で構成している。
【００２４】
室内機Ａを据付板２に取付ける時は、本体ベース１の上部に開口した本体レール３の上端をガイドレール４の下端に合わせて、室内機Ａを上動させると本体レール３の溝とガイドレール４の突起が嵌合し、室内機Ａをガイドレール４に沿って上動させることができる。そして、室内機Ａを上動させていくと本体レール３の上部の係止部１ａがガイドレール４の上部の係合部２ａに係合することができるものである。
【００２５】
この構造であれば、ガイドレール４の下端は据付板２の下端とほぼ同じ高さに位置しており、この位置で室内機Ａの上部に開口した本体レール３の上端をガイドレール４に挿入することができるので、室内機Ａを取付ける時に室内機Ａを高く持上げる必要はなく、本体レール３の上端とガイドレール４の下端が室内機Ａによって死角になることはないから、本体レール３をガイドレール４に嵌合する時に本体レール３とガイドレール４を目視しながら行うことができる。
【００２６】
この為、従来のように室内機Ａを持上げたまま係止部１ａと係合部２ａとの係合位置を探す必要がなくなり、本体レール３をガイドレール４に嵌合した後は、ガイドレール４に沿って室内機Ａを上動させるだけで係止部１ａと係合部２ａが係合できるので、室内機Ａを容易に据付板２に取付けることができるようになった。
【００２７】
また、本体ベース１の裏側の上部の係止部１ａと据付板２の上部の係合部２ａが係合した時に、下部の係止部１ｂと下部の係合部２ｂが係合するようにすれば、ガイドレール４に本体レール３を嵌合させて室内機Ａを上部の係合部２ａまで上動していくだけで本体ベース１の上下の係止部１ａ・１ｂと据付板２の上下の係合部２ａ・２ｂが係合できるので、室内機Ａの据付板２への取付けが容易にできるようになった。
【００２８】
ところで、連通口１６に通した冷媒配管６やドレンホース１５や電源・信号コードと室内機Ａとの接続作業を行う時において、従来では、係止部１ａを支点にして室内機Ａを手前に引き上げ、この状態で室内機Ａを手で支えながら作業を行わなければならない為、作業がやりづらく、取付け作業を１人で行うことは非常に困難であった。一方、エアコンの梱包材料を加工してスペーサを作り、このスペーサを本体ベース１と据付板２との間に嵌合して作業領域を確保する方法も行われており、この方法では両手を使って作業ができるので作業がやりやすいが、スペーサはエアコンの取り付け後に梱包材料と一緒に廃却してしまうことが多い為、エアコンを移設する時にはスペーサなしで作業を行うか、スペーサの代わりになるものを作って対応しなければならなかった。
【００２９】
また、上部の係止部１ａと上部の係合部２ａの間には、配管の接続作業や下部の係止部１ｂと係合部２ｂを係合させる時に室内機Ａを動かせるだけの余裕が必要となるが、このような構造にすると室内機Ａの上部が前後に動いてしまい、室内機Ａは上部が前方側に傾斜して設置されることがあり、この時は、ドレンパン１４のドレン水がドレンホース１５へスムーズに流れなくなりドレンパン１４にドレン水が溜まってしまう。
【００３０】
この為の対策として、５は据付板２とガイドレール４との連続部に設けた可動手段であり、ガイドレール４は可動手段５を中心に回動してガイドレール４の向きを下方もしくは斜め下方に変更できるようにしており、室内機Ａの係止部１ａを据付板２の係合部２ａに係合した時、ガイドレール４の向きを斜め下方に保持しておけば、本体ベース１と据付板２との間に作業空間が確保できるから、配管の接続作業を行う時に室内機Ａを手で支えておく必要はなくなり、１人でも容易に作業が行えるようになった。
【００３１】
そして、配管の接続作業が完了した後は、室内機Ａを壁面Ｂ側へ押せばガイドレール４が可動手段５を中心に回動し、本体ベース１の下部が据付板２の下部の係合部２ｂにぶつかるので、室内機Ａをガイドレール４に沿って少し上方にスライドさせてから、室内機Ａを壁面Ｂ側へ押せば本体ベース１の下部の係止部１ｂと据付板２の下部の係合部２ｂが係合して室内機Ａの取付けが完了することができる。
【００３２】
また、可動手段５の具体的な実施例として、５ａは可動手段５を構成する丁番であり、該丁番５ａはガイドレール４の開度を任意の角度に調節可能としており、室内機Ａと冷媒配管６との接続作業を行う時に、ガイドレール４の開度を作業者に適した角度に保持することができるから、配管接続作業の効率が更に向上するものとなった。
【００３３】
更に、この発明の可動手段５の他の実施例では、据付板２とガイドレール４との連続部を塑性変形可能な材料で形成して可動手段５を構成したものであり、室内機Ａを壁面Ｂ側に押せば、可動手段５が加圧変形してガイドレール４の向きが下方に変更するので室内機Ａを据付板２に取付けることができる。この構造はガイドレール４の開き角度は一定であり、丁番５ａのようにガイドレール４の開き角度を調節することはできないものの、丁番５ａを使用する時より安価にできる。
【００３４】
このように、係止部１ｂと係合部２ｂとの係合はガイドレール４の向きの変更とガイドレール４上で室内機Ａをスライドさせることによって係合させることができるから、従来のように上部の係止部１ａと上部の係合部２ａとの間に室内機Ａを動かせるだけの余裕を持たせておく必要はないから、室内機Ａが前方に傾斜することを防ぐことができるものとなった。
【００３５】
また、エアコンの据え付け後にメンテナンスを行う時においても、ガイドレール４の向きを斜めに保持しておけば、室内機Ａを据付板２から取り外さなくても故障等の原因究明を行うことができ、メンテナンス作業も行いやすいものとなった。
【００３６】
【発明の効果】
以上のようにこの発明では、室内機Ａの本体ベース１の裏側に形成した係止部１ａから下方に伸びる本体レール３を設け、据付板２の上部の係合部２ａから下方に伸びると共に、本体ベース１の本体レール３に嵌合するガイドレール４を設けたものであり、室内機Ａの取付け時は、本体レール３をガイドレール４に嵌合させ、室内機Ａをガイドレール４に沿って上動させれば、係止部１ａと係合部２ａを容易に係合することができるので、従来のように室内機Ａを高く持上げたまま係止部１ａと係合部２ａとの係合位置を探す必要はなく室内機Ａの取付け作業が容易になった。
【００３７】
また、本体ベース１の上部の係止部１ａと据付板２の上部の係合部２ａの係合時に、本体ベース１の下部に形成した係止部１ｂと据付板２の下部に形成した係合部２ｂが係合するようにすれば、室内機Ａの取付け作業が容易にできるものとなった。
【００３８】
また、ガイドレール４を据付板２の上部の係合部２ａから下方に向けて連続する縦長部材で形成し、ガイドレール４と据付板２との連続部にガイドレール４の向きを下方もしくは斜め下方に変更する可動手段５を設けたものでは、ガイドレール４を斜め下方に保持しておけば本体ベース１と据付板２との間に間隔を設けることができるから、冷媒配管６などの配管作業が行いやすくなった。
【００３９】
また、配管の接続作業が完了した後は、ガイドレール４の向きの変更とガイドレール４上で室内機Ａをスライドさせることによって、下部の係止部１ｂと係合部２ｂとを係合させることができるので、従来のように上部の係止部１ａと係合部２ａとの間に余裕を持たせておく必要はなくなく、室内機Ａが室内側へ傾斜することはなくなったから、ドレンパン１４のドレン水がスムーズに屋外に排出できるものとなった。
【００４０】
また、可動手段５の具体的な構成として、可動手段５を開度調節可能な丁番５ａで構成した時は、ガイドレール４の開度を自在に変更できるから、作業者が作業を行いやすい任意の角度にガイドレール４を保持することができ、冷媒配管６などの接続作業やメンテナンス作業を効率よく確実に行うことができるものとなった。
【００４１】
更に、可動手段５の他の実施例として、ガイドレール４と据付板２との連続部を塑性変形可能な部材で構成したものでは、可動手段５の加圧変形によってガイドレール４の向きを変更するものであり、ガイドレール４の開き角度は一定であるものの、丁番５ａを使用するものに比べて部品点数が少なく、安価に実施することができた。
【図面の簡単な説明】
【図１】この発明の実施構造を備えた空気調和システムを表す断面図である。
【図２】この発明の実施例を示すエアコンの据付板の斜視図である。
【図３】この発明の実施例を示す本体ベースの裏側の状態を表す室内機の斜視図である。
【図４】この発明の実施例を示す本体レールとガイドレールとの嵌合時の状態を表す要部断面図である。
【図５】この発明の実施例を示す室内機の下部の係止部と据付板の下部の係合部の係合前の状態を表す要部断面図である。
【図６】従来の室内機の取付け状態を表す要部断面図である。
【符号の説明】
Ａ    室内機
Ｂ    壁面
Ｃ    室外機
１    本体ベース
１ａ  係止部
１ｂ  係止部
２    据付板
２ａ  係合部
２ｂ  係合部
３    本体レール
４    ガイドレール
５    可動手段
５ａ  丁番
【図１】
2005024124.tif 000003
【図２】
2005024124.tif 000004
【図３】
2005024124.tif 000005
【図４】
2005024124.tif 000006
【図５】
2005024124.tif 000007
【図６】
2005024124.tif 000008